(57)【要約】【課題】  エネルギ発生源を備えたエネルギ・シートを自由に出し入れでき、着用者の体型や身体の動きに沿うように柔軟な支持体を有し、身体の所望部位を締め付けて矯正するためのエネルギ発生源を備えた締付矯正器を提供する。【解決手段】  締付矯正器２０の支持体を二つ折りしてから複数に分割して複数個のポーチ部２３を作り、出し入れ自由にエネルギ・シート２４を収容し、通気性をもたらすエアー・ダクト部２２を支持体に複数本備えることで、長時間着用していても皮膚が蒸れず不快感がないようにすると共に、ポーチに収容されたエネルギ・シートが、遠赤外線放射エネルギ、マイナス・イオン、微量元素などを長期間にわたって放出して着用者の身体の新陳代謝を促進し、締付矯正器の洗浄の際にポーチからエネルギ・シートを取り出せるようにしたことにより、エネルギ・シートの発生エネルギの耐久性を持続するように構成した。【選択図】  図２
0003115796.tif 000002
【実用新案登録請求の範囲】
【請求項１】
相互係合するために両端の接触端部に調節可能な留め部領域が配設された締付矯正器からなるエネルギ発生源を備えた締付矯正器構造において、
前記締付矯正器の外側表面には、多数の通気性エアー・ダクトが配置されており、各エアー・ダクトは、多数の柔軟支持部が締付矯正器と相互に編み込まれて、多数の微細セルに分割され、前記締付矯正器は内側に二つ折りにされて複数個の保持用ポーチ部を備えるように区画され、該保持用ポーチ部には開口部があり、該開口から保持用ポーチ部へ、人体にとって好ましい影響を与える力の備わったエネルギ・シートが収容されるようになっていることを特徴とするエネルギ発生源を備えた締付矯正器。
【請求項２】
前記保持用ポーチ部は、その中に収容されるエネルギ・シートの寸法に対応する大きさに区画されていることを特徴とする請求項１記載のエネルギ発生源を備えた締付矯正器。
【請求項３】
前記締付矯正器は、良好な柔軟性と可撓性とを備えるために、弾性要素と木綿糸で一体に編み込んで作られることを特徴とする請求項１記載のエネルギ発生源を備えた締付矯正器。
【請求項４】
前記締付矯正器の外側表面には、複数本の通気性エアー・ダクトが水平方向に等間隔に並列されて配設されていることを特徴とする請求項１記載のエネルギ発生源を備えた締付矯正器。
【請求項５】
前記エアー・ダクトの弾性支持部は弾性要素を編み上げて作られていることを特徴とする請求項１記載のエネルギ発生源を備えた締付矯正器。
【考案の詳細な説明】
【技術分野】
【０００１】
本考案は、エネルギ発生源を備えた締付矯正器に関し、更に具体的に説明すると、身体の所望の部位を締付けて圧力を掛け矯正するための、両端部に調節可能な留め部領域（ファスナー部分）を有するナノメートル・エネルギ、即ちエネルギ発生源を備えた締付矯正器に関するものである。
【背景技術】
【０００２】
図１に示すものは、身体の背骨の矯正をしたり、ウエストや、肘や、膝などの部位に巻きつけて使用する従来の締付矯正器１０である。
このような従来の締付矯正器は、通気性のない支持体へ直接縫い付けられて製造されており、長時間着用していると、皮膚にも血流にも健康的に悪影響を与える結果となる。
【０００３】
また、締付矯正器１０の巻き付けなどによる締付効果に関すれば、従来の締付矯正器はかなり分厚くて堅めであり、人体の動きや体形に合うように適切に締付力を調整することが難しい。その結果、可撓性の低い従来の締付矯正器では、皮膚が擦れ易くて、着用者に不快な思いをさせることとなる。
【０００４】
更にまた、従来の締付矯正器１０では、医療効果を高めるためにその内側面に複数枚のエネルギ・シート（布地）１１が縫い付けられていて、エネルギ・シート１１が、人体に益となる遠赤外線放射エネルギや、マイナス・イオンや、微量元素などを放出する。このようなエネルギ・シート１１は、前記締付矯正器１０の内側へ直接縫い付けられているために、エネルギ・シート１１だけを交換するということができないので、締付矯正器１０ごと洗濯することを繰り返していくうちに、エネルギ効果が減少してしまうということになる。
【考案の開示】
【考案が解決しようとする課題】
【０００５】
従って、本考案の第１の目的とするところは、多数の微細セルが形成されている通気性のあるエアー・ダクト部を複数本備えたエネルギ発生源を備えた締付矯正器を提供することにあり、これにより空気が浸透する設計構成とすることができるため、締付矯正器着用者の着用部位の皮膚へ空気を通して蒸れないようにし、長時間着用していても不快なゴワゴワ感が全くないようにすることができると共に、締付矯正器の保持用ポーチに収容されているエネルギ・シートが、遠赤外線放射エネルギや、マイナス・イオンや、微量元素などを長期間にわたって放出するので、健康管理をする上で着用者の身体の新陳代謝を促進することができる。
【０００６】
また、本考案の第２の目的とするところは、可撓性のある支持部を介して、締付矯正器と通気性のあるエアー・ダクトとを相互に編み込ませ、エアー・ダクトを多数の微細セルに分割する構成とし、これにより通気性のあるエアー・ダクトが同期に伸長することで締付矯正器に同調して調整され、人体の体形および身体の動きにピタリと合うようなり、最高の可撓性ある柔軟さと、正確な締付効果とを達成することのできる、エネルギ発生源を備えた締付矯正器を提供することである。
【０００７】
更にまた、本考案の第３の目的とするところは、締付矯正器の内側に配設されている保持用ポーチにエネルギ・シートが収容されるという構成になっていて、これにより、エネルギ・シートを自由に取り替えたり、締付矯正器を洗浄したりする際には保持用ポーチからエネルギ・シートだけを取り出せるようにしたことにより、エネルギ・シートの発生エネルギを持続させ且つエネルギ・シートの耐久性を保持することができる、エネルギ発生源を備えた締付矯正器を提供することである。
【課題を解決するための手段】
【０００８】
請求項１の考案は、相互係合するために両端の接触端部に調節可能な留め部領域が配設された締付矯正器からなるエネルギ発生源を備えた締付矯正器構造において、前記締付矯正器の外側表面には、多数の通気性エアー・ダクトが配置されており、各エアー・ダクトは、多数の柔軟支持部が締付矯正器と相互に編み込まれて、多数の微細セルに分割され、前記締付矯正器は内側に二つ折りにされて複数個の保持用ポーチ部を備えるように区画され、該保持用ポーチ部には開口部があり、該開口から保持用ポーチ部へ、人体にとって好ましい影響を与える力の備わったエネルギ・シートが収容されるようになっていることを特徴とする。
【０００９】
請求項２の考案は、請求項１記載のエネルギ発生源を備えた締付矯正器において、前記保持用ポーチ部は、その中に収容されるエネルギ・シートの寸法に対応する大きさに区画されていることを特徴とする。
請求項３の考案は、請求項１記載のエネルギ発生源を備えた締付矯正器において、前記締付矯正器は、良好な柔軟性と可撓性とを備えるために、弾性要素と木綿糸で一体に編み込んで作られることを特徴とする。
請求項４の考案は、請求項１記載のエネルギ発生源を備えた締付矯正器において、前記締付矯正器の外側表面には、複数本の通気性エアー・ダクトが水平方向に等間隔に並列されて配設されていることを特徴とする。
請求項５の考案は、請求項１記載のエネルギ発生源を備えた締付矯正器において、前記エアー・ダクトの弾性支持部は弾性要素を編み上げて作られていることを特徴とする。
【考案の効果】
【００１０】
本考案のエネルギ発生源を備えた締付矯正器では、適用する身体の部位の特徴に合わせて寸法取りしたエネルギ・シートの寸法に対応させてポーチ部を区切って、締付矯正器の内側にエネルギ・シートを収容するための保持ポーチ部を形成したので、締付矯正器を洗濯するときに、エネルギ・シートを保持ポーチ部から取り出してから洗濯ができるようにしたために、エネルギ・シート自体の発生エネルギの持続効果をより長く持続させることができ、身体に好ましい遠赤外線やマイナスイオンなどのナノメートルの発生エネルギを長期間放出し続けることで、人間の身体の新陳代謝を促進するのに著しい効果がある。
【００１１】
また、本考案のエネルギ発生源を備えた締付矯正器では、締付矯正器の外側表面に多数の微細セルが形成されたエアー・ダクトが複数本、締付矯正器の水平方向全長に配設されているために、通気性に優れ、長時間着用した後も着用者の皮膚が蒸れることがなく、非常に快適に着用できる。
【考案を実施するための最良の形態】
【００１２】
以下に、添付図面を参照しながら本考案の好適な実施の形態を詳細に説明するが、それらの具体的な構造は単に本考案の実施可能な実施例に過ぎず、本考案の実用新案登録請求の範囲を狭義的に定義するものではないことが言うまでもないことである。
図２は本考案のナノメートル・エネルギー、即ちエネルギ発生源を備えた締付矯正器の斜視図で、エネルギ・シートが自由に出し入れできる構成を示しており、図３は本考案のエネルギ発生源を備えた締付矯正器に配設されたエアー・ダクト部分の微細セル構造を示す部分拡大平面図、図４は本考案のエネルギ発生源を備えた締付矯正器の使用状態を示す該略図である。
【実施例】
【００１３】
以下、本考案のエネルギ発生源を備えた締付矯正器の実施例について説明する。
図２に示すように、本考案のエネルギ発生源を備えた締付矯正器は、柔軟性と可撓性をもたせるために、弾性材料と木綿糸を一体に編み合わせた締付矯正器２０からなる。
【００１４】
身体の矯正したい部位に締付矯正器を巻き付けて保持する留め具として、締付矯正器２０の左，右両端部側にはそれぞれファスナー部分２１，２１が配置されており、このファスナー部分２１，２１を相互に重ね合わせてくっつけて留め具とした場合には、巻き付けたときの締付力を自由に調節できるようになっている。
【００１５】
前記締付矯正器２０の外側表面には、等間隔をあけて離隔したエアー・ダクト２２が長手水平方向に平行に配設されており、図３に拡大して示してあるように、各々のエアー・ダクト２２には柔軟材料を縦方向へ編み込んだ柔軟支持部２２１があって、これにより多数の微細セル２２２が構成される。
【００１６】
締付矯正器２０の製作においては、まずその支持体を内側に二つ折りしてから、中に収容されるエネルギ・シート（布地）２４の大きさに合わせて複数に分割して複数個の保持用ポーチ２３を用意し、それぞれのポーチ２３の開口端部２３１から人体に良い影響をもたらすエネルギ・シート２４が装填される。  
各ポーチに収容される前記エネルギ・シート２４は、共振原理を介して暖温を発熱することにより、遠赤外線放射エネルギや、マイナス・イオンや、微量元素などのエネルギを放出するように構成されており、長時間かかってこれらエネルギが人体に吸収されるようになる。
【００１７】
図４では、本考案のエネルギ発生源を備えた締付矯正器の使用状態を示している。
締付矯正器２０は、その両端の接触端部に配設されたファスナー部分２１，２１を介して、ウエストとか、手首、膝といったような、身体の様々な部位に正確にぴたりとフィットするように寸法が調節でき、適切なる締付力で安定的にそこに巻きつけられる。
【００１８】
また、締付矯正器２０には、エアー・ダクト２２の多数の微細セル２２２を介して、通気構成を有し、密閉状態の不具合さを回避するようになっている。  
従って、前記締付矯正器２０は、皮膚を蒸らすことなく清涼に保ち、ごわごわとした不快感などがなく長時間着用することができる。
【００１９】
締付矯正器２０には、遠赤外線放射エネルギや、マイナス・イオンや、微量元素などのエネルギを常時一定に放出することのできるエンルギ発生源としてのエネルギ・シート２４を介して健康管理面の利点がもたらされていることにより、人体の新陳代謝を改善することができる。
【００２０】
その上、弾性支持部２２１を介して締付矯正器２０と相互に編み込まれるようにしてエアー・ダクト２２が配設されているので、エアー・ダクト２２は締付矯正器２０と同期に伸びて締付矯正器に沿って適合し、人体の動きや体型にぴたりと合って、これにより、優れた可撓性を有する柔軟性と正確な締付効果とを併せて達成することができる。
【００２１】
また、保持用ポーチ２３を備えた設計により、エネルギ・シート２４を取り替えたり、締付矯正器２０を洗浄する場合には、エネルギ・シート２４をポーチから自由に取り出すことができる構成としたので、エネルギ・シート２４の発生エネルギ効果を適切に持続させ且つエネルギ・シートの耐久力をも持続させることができる。
【００２２】
また、前述に開示した構造は、単に本考案の実施可能な実施例を具体的に詳細に説明したものであり、本考案の実施形態に示す構成に限らず、本考案の実用新案登録請求の範囲の各請求項に記載した技術的範囲を逸脱しない範囲において、種々に変更し変形できることは言うまでもない。
【図面の簡単な説明】
【００２３】
【図１】従来の締付矯正器の斜視図。
【図２】本考案のエネルギ発生源を備えた締付矯正器の斜視図で、エネルギ・シートが自由に出し入れできる構成を示している。
【図３】本考案のエネルギ発生源を備えた締付矯正器に配設されたエアー・ダクト部分の微細セル構造を示す部分拡大平面図。
【図４】本考案のエネルギ発生源を備えた締付矯正器の使用状態を示す概略図である。
【符号の説明】
【００２４】
２０      締付矯正器
２１      ファスナー部分
２２      エネルギ・シート
２３      保持用ポーチ
２３１    開口端部
２４      エネルギ・シート（布地）
【図１】
0003115796.tif 000003
【図２】
0003115796.tif 000004
【図３】
0003115796.tif 000005
【図４】
0003115796.tif 000006